(57)【要約】【課題】既設の操作リングを改良することなく取付けることが可能であり、また既設の操作具を使用し操作可能であり、操作リングが足場ボルトに引っ掛ることを防止できる開閉器操作リングカバーを提供する。【解決手段】柱上開閉器を入切する操作綱１５１の端部に取付けられ、操作具２００を引っ掛け使用する操作リング１０１に装着し使用する開閉器操作リングカバー１であって、前記操作リング１０１の内側の空間を部分的に塞ぐカバー本体１１と、前記カバー本体１１を前記操作リング１０１に固定する固定手段５１と、を備え、前記操作リング１０１に装着されたカバー本体１１は、電柱に設置される足場ボルトが挿通不能に、前記操作具２００の鉤部２０１が挿通可能に前記操作リング１０１の内側の空間を塞ぐ。【選択図】図３
2020140850.tif 000002
【特許請求の範囲】
【請求項１】
柱上開閉器を入切する操作綱の端部に取付けられ、操作具を引っ掛け使用する操作リングに装着し使用する開閉器操作リングカバーであって、
前記操作リングの内側の空間を部分的に塞ぐカバー本体と、
前記カバー本体を前記操作リングに固定する固定手段と、
を備え、
前記操作リングに装着されたカバー本体は、電柱に設置される足場ボルトが挿通不能に、前記操作具の鉤部が挿通可能に前記操作リングの内側の空間を塞ぐことを特徴とする開閉器操作リングカバー。
【請求項２】
前記カバー本体は、風が流通可能な流通路を備えることを特徴とする請求項１に記載の開閉器操作リングカバー。
【請求項３】
前記固定手段は、操作綱の端部に取付けられている状態の既設の操作リングに対して、ワンタッチで前記カバー本体を固定可能なことを特徴とする請求項１又は請求項２に記載の開閉器操作リングカバー。
【請求項４】
前記カバー本体は、前記操作リングに装着されたとき操作リングのリング自体には被さらない大きさであり、
前記操作リングに装着された状態で、操作リングのリング自体を外部から視認可能なことを特徴とする請求項１から請求項３のいずれか１項に記載の開閉器操作リングカバー。
【発明の詳細な説明】
【技術分野】
【０００１】
本発明は、電柱の上部に設置された開閉器を入切りする操作綱の端部に取付けられた操作リングに装着し使用する開閉器操作リングカバーに関する。
【背景技術】
【０００２】
電柱の上部に設置された柱上開閉器（以下、開閉器と記す）は、開閉器本体に設けられた操作レバーを操作することで入・切りできる構造となっている。以下、特許文献１を参照しつつ、従来の一般的な開閉器の構造、操作概要を説明する。図７は、従来の一般的な開閉器３００の構造、操作概要を説明するための図であり特許文献１の図６に対応する図である。図８は、図７の操作リング１０１、１０２廻りの図である。
【０００３】
図７に示すように電柱２５０の上部に設置された開閉器３００には、開閉器３００を入・切りするための操作レバー３０１が設けられ、操作レバー３０１にはそれを動かすための一対の操作綱１５１、１５２が取付けられている。一方の操作綱１５１が「入」操作用であり、他方の操作綱１５２が「切」操作用である。各操作綱１５１、１５２は、電柱２５０に沿うように垂下し、端部にはそれぞれ、操作具２００を引っ掛けるための操作リング１０１、１０２が取付けられている。
【０００４】
操作リング１０１、１０２は、作業者５０１以外の第三者が触れるのを防止するために手の届かない高所に設置されている。操作リング１０１、１０２は、下向き矢印型の環状体であり（図８参照）、電路を閉じるべく開閉器３００を「入」とする場合には、地上から作業者５０１が専用の操作具２００を操り、操作具２００の鉤部を「入」操作用の操作綱１５１に繋がる操作リング１０１に引っ掛け、操作具２００を介して操作綱１５１を引き下げる。開閉器３００を「切」とする場合も同様の操作を行う。
【０００５】
また開閉器３００には、誤操作による感電事故等を防ぐために、「入」操作または「切」操作を行った後の操作綱１５１、１５２をロックする操作綱固定装置１６０が設けられている。
【０００６】
電柱２５０には、腕金、装柱バンドなどの装柱金具２５５の他に、図８に示すように足場ボルト２６０が所定の間隔で設置されている。操作リング１０１、１０２は、環状であるため、風によって揺動し、足場ボルト２６０に引っ掛かり開閉器３００を入・切りできない事象や、操作具２００を介して操作綱１５１、１５２を引き下げている途中で、操作リング１０１、１０２が足場ボルト２６０に引っ掛かり、開閉器３００を完全に「入」、「切」できない事象が発生している。操作リング１０１、１０２には、特許文献２に示される楕円形のものもあるが、これも環状ゆえ同じ事象が発生する。
【０００７】
上記問題を解決するために操作リングを球形としたものが提案されている（例えば特許文献３）。特許文献３に記載の操作リングは、環状体ではないので足場ボルト２６０に引っ掛かり難い。
【先行技術文献】
【特許文献】
【０００８】
【特許文献１】特開２００７−３５５３３号公報
【特許文献２】特開平１０−６４３６７号公報
【特許文献３】特開２０１６−１１６３２６号公報
【発明の概要】
【発明が解決しようとする課題】
【０００９】
特許文献３に記載の球形の操作リングは、従来の操作リング１０１、１０２と異なり環状ではないため電柱の足場ボルト２６０等に引っ掛かり難い。しかしながら既設の操作リングは、多くが特許文献１、特許文献２に示される矢印型、楕円形のものであるから、特許文献３に記載の球形の操作リングを使用するには取り換えが必要となる。また球形の操作リングを操作するには専用の操作具が必要となり、従来の操作具は使用することができない。
【００１０】
上記のように特許文献３に記載の球形の操作リングは、有用であるが、これを使用するには多大な費用が掛かる。また特許文献３に記載の球形の操作リングを使用する場合、既設の操作リングは不要となるためもったいない。これらのことから既設の操作リングをそのまま使用し、これに簡単な改造を施し、あるいは部材を取付けることで足場ボルト等への引っ掛かりの問題を解消することが求められている。
【００１１】
本発明の目的は、既設の操作リングを改良することなく取付けることが可能であり、また既設の操作具を使用し操作可能であり、操作リングが足場ボルトに引っ掛ることを防止できる開閉器操作リングカバーを提供することである。
【課題を解決するための手段】
【００１２】
本発明は、柱上開閉器を入切する操作綱の端部に取付けられ、操作具を引っ掛け使用する操作リングに装着し使用する開閉器操作リングカバーであって、前記操作リングの内側の空間を部分的に塞ぐカバー本体と、前記カバー本体を前記操作リングに固定する固定手段と、を備え、前記操作リングに装着されたカバー本体は、電柱に設置される足場ボルトが挿通不能に、前記操作具の鉤部が挿通可能に前記操作リングの内側の空間を塞ぐことを特徴とする開閉器操作リングカバーである。
【００１３】
本発明の開閉器操作リングカバーにおいて、前記カバー本体は、風が流通可能な流通路を備えることを特徴とする。
【００１４】
本発明の開閉器操作リングカバーにおいて、前記固定手段は、操作綱の端部に取付けられている状態の既設の操作リングに対して、ワンタッチで前記カバー本体を固定可能なことを特徴とする。
【００１５】
本発明の開閉器操作リングカバーにおいて、前記カバー本体は、前記操作リングに装着されたとき操作リングのリング自体には被さらない大きさであり、前記操作リングに装着された状態で、操作リングのリング自体を外部から視認可能なことを特徴とする。
【発明の効果】
【００１６】
本発明によれば、既設の操作リングを改良することなく取付けることが可能であり、また既設の操作具を使用し操作可能であり、操作リングが足場ボルトに引っ掛ることを防止できる開閉器操作リングカバーを提供することができる。
【図面の簡単な説明】
【００１７】
【図１】本発明の第１実施形態の開閉器操作リングカバー１の斜視図である。
【図２】図１の開閉器操作リングカバー１を操作リング１０１に取付けた状態の斜視図である。
【図３】図１の開閉器操作リングカバー１を操作リング１０１に取付け操作具２００を引っ掛けた状態の斜視図である。
【図４】本発明の第２実施形態の開閉器操作リングカバー２の斜視図である。
【図５】図４の開閉器操作リングカバー２を操作リング１０１に取付けた状態の斜視図である。
【図６】本発明の第３実施形態の開閉器操作リングカバー３を操作リング１０１に取付けた状態の正面図である。
【図７】従来の一般的な開閉器３００の構造、操作概要を説明するための図である。
【図８】従来の一般的な開閉器３００の構造、操作概要を説明するための図である。
【発明を実施するための形態】
【００１８】
図１は、本発明の第１実施形態の開閉器操作リングカバー１の斜視図である。図２は、開閉器操作リングカバー１を操作リング１０１に取付けた状態の斜視図、図３は、開閉器操作リングカバー１を操作リング１０１に取付け操作具２００を引っ掛けた状態の斜視図である。
【００１９】
本発明の第１実施形態の開閉器操作リングカバー１は、図７及び図８に示す電柱２５０の上部に設置された柱上開閉器３００を入切する操作綱１５１、１５２の端部に取付けられ、操作具２００を引っ掛け使用する操作リング１０１、１０２に装着し使用する開閉器操作リングカバーである。操作リング１０１、１０２は、同じ構造からなるので、ここでは操作リング１０１に開閉器操作リングカバー１を取付ける場合を例として説明する。
【００２０】
開閉器操作リングカバー１の説明に先立ち、操作リング１０１及び操作具２００の構造、形状を説明する。ここに示す操作リング１０１は、従来の操作リング１０１と同じ構造、形状であり、棒状の部材が正面視において下向き矢印型に形成された環状の操作リングである（図８参照）。操作リング１０１は、正面視において、逆三角形状部１０５の上に突出部１０７を有し、突出部１０７の上部１０８は、円弧状となっている。
【００２１】
操作リング１０１の内側の空間Ｖは、逆三角形状部１０５が形作る内側の空間Ｖ１と突出部１０７が形作る内側の空間Ｖ２とからなる。空間Ｖ１は、電柱２５０に設置される足場ボルト２６０の頭２６１の大きさよりも大きく、足場ボルト２６０は、逆三角形状部１０５を容易に通過することができる。空間Ｖ２も足場ボルト２６０の頭２６１の大きさよりも大きく、足場ボルト２６０は、突出部１０７を容易に通過することができる。
【００２２】
操作リング１０１は、側面視において平坦であり、その厚さは、操作リング１０１を形成する棒状部材の直径と同じである。操作綱１５１は、操作リング１０１の突出部１０７に結び付けられる。操作綱１５１の直径ｄ１は、足場ボルト２６０の頭２６１の大きさｈ１に比較して小さい。
【００２３】
操作具２００は、従来の操作具と同様に、棒状体２１１の先端部に鉤部２０１が取付けられてなる（図３参照）。鉤部２０１は、基台２０２上に棒状の支持部２０３が立設され、それに直交するように棒状の引っ掛け部２０４が設けられている。引っ掛け部２０４の先端には、引っ掛け部２０４の直径よりも大きい球部２０５が設けられている。
【００２４】
ここで操作綱１５１の直径ｄ１、操作具２００の球部２０５の直径ｄ２、足場ボルト２６０の頭２６１の大きさｈ１を比較すると、ｈ１＞ｄ２＞ｄ１である。
【００２５】
開閉器操作リングカバー１は、操作リング１０１の内側の空間Ｖを部分的に塞ぐカバー本体１１と、カバー本体１１を操作リング１０１に固定する固定手段５１と、を備える。
【００２６】
カバー本体１１は、正面及び背面に配置される一対の枠体２１、２２と、一対の枠体２１、２２の内側を覆う網体４１、４２と、一対の枠体２１、２２の両側面に配置され一対の枠体２１、２２を連結する側壁３５、３６とを含む。枠体２１と枠体２２は、同一の構造・形状を有し、網体４１と網体４２も同一構造・形状を有する。以下、枠体２１、網体４１を中心に説明する。
【００２７】
枠体２１は、金属製の板状体であり、操作リング１０１を正面から見て操作リング１０１の内側の空間Ｖの上部及び下部を部分的に切り落とした外形を有し、中央は広い開口部３１となっている。開口部３１の形状は、枠体２１の外形と相似形である。
【００２８】
枠体２１の幅は、特に限定されるものではないが、容易に変形しない強度を備えていれば狭い方が好ましい。枠体２１の幅を狭くすることで中央の開口部３１を広くすることができる。中央の開口部３１は、風の流通路となるため、ここを広くすることで開閉器操作リングカバー１を取付けた操作リング１０１が風により揺動し難くなる。
【００２９】
また枠体２１には、固定手段５１である留め具５３が嵌り込む受部５５が設けられている。
【００３０】
カバー本体１１は、開閉器操作リングカバー１を操作リング１０１に装着したとき、開閉器操作リングカバー１の上部に空間Ｖ３が、下部に空間Ｖ４ができる大きさとなっている。空間Ｖ３は、足場ボルト２６０が挿通不能で、操作綱１５１が挿通可能な大きさである。空間Ｖ４は、足場ボルト２６０が挿通不能で、操作具２００の鉤部２０１を挿通可能な大きさである（図２、図３参照）。
【００３１】
枠体２１の中央の開口部３１は、網体４１で塞がれている。ここでは網体に金網４１を使用する。金網４１は、足場ボルト２６０及び操作具２００の鉤部２０１が挿通不能な目開きを有し、開閉器操作リングカバー１を取付けた操作リング１０１が風により揺動し、足場ボルト２６０に衝突しても破損しない強度を有する。金網４１の目開きは、足場ボルト２６０及び操作具２００の鉤部２０１が挿通不能な限りにおいて広い方が、風の影響を受け難く好ましい。網体４１は、枠体２１に対してしっかりと固定されていればよく、固定手段は特に問われない。
【００３２】
カバー本体１１は、正面及び背面に配置される枠体２１、２２の側辺２７、２８を連結する側壁３５、３６を備える。側壁３５、３６は、容易に変形しない強度を備えていればパンチングメタル（打ち抜き金網）を用いてもよい。一方で、カバー本体１１は、上壁、底壁を備えておらず、カバー本体１１の天井面及び底面は開口している。これはカバー本体１１内に雨水が溜まることを防ぐためである。
【００３３】
側壁３５、３６の高さは、操作リング１０１の厚さと略同一であり、開閉器操作リングカバー１を操作リング１０１に装着したとき、側面視において枠体２１の表面と操作リング１０１、枠体２２の表面と操作リング１０１とが面一となる。このように開閉器操作リングカバー１を操作リング１０１に装着したとき、側面視において開閉器操作リングカバー１と操作リング１０１との間の段差をなくすことで足場ボルト２６０が引っ掛かり難くなる。
【００３４】
固定手段５１は、枠体２２に固定されたベルト５２と、ベルト５２の先端部に取付けられた留め具５３と、枠体２１に設けられた留め具５３が嵌り込む受部５５とで構成される。ベルト５２は、柔軟性を有し操作リング１０１に容易に巻き付くことができる。留め具５３は、材料の弾性を利用して受部５５に引っ掛ける公知のスナップフィットである。受部５５は、スナップフィット５３の先端の凸部（爪）５４が嵌り込む凹部を有する。
【００３５】
固定手段５１は、操作リング１０１の突出部１０７の左右にそれぞれ１カ所、逆三角形状部１０５の左右にそれぞれ２カ所、合計６カ所を固定する。操作リング１０１は、突出部１０７と逆三角形状部１０５との間が段差となっているので、突出部１０７及び逆三角形状部１０５にそれぞれに取付くように固定手段５１を設けると、ずれ難く開閉器操作リングカバー１を確実に固定することができる。
【００３６】
ベルト５２は、開閉器操作リングカバー１を操作リング１０１にしっかりと固定できる限りにおいて幅の狭いもの、あるいは無色透明なものが好ましい。通常、操作リング１０１には、入操作用の方には赤色が、切操作用の方には緑色が付されている。ベルト５２が不透明な材料からなる場合、開閉器操作リングカバー１を操作リング１０１に取付けたとき、ベルト５２部分は操作リング１０１が隠れてしまうので、ベルト５２の幅を不必要に広くすると操作リング１０１の色の視認が難しくなる。
【００３７】
開閉器操作リングカバー１あるいはベルト５２に赤色又は緑色を付して、それぞれの色の対応した操作リング１０１に取付け使用する方法もあるが、このような方法では２種類の開閉器操作リングカバー１を製造する必要があり、製造コストが高くなる。
【００３８】
固定手段５１は、開閉器操作リングカバー１を操作リング１０１に確実に固定することができればよく特に限定されるものではない。スナップフィット５３に代えて、ボルトを使用してもよい。スナップフィット５３は、ワンタッチで固定できるので、既設の操作リング１０１に対し現場で操作リング１０１を取外すことなく開閉器操作リングカバー１を簡単に固定することが可能であり好ましい。
【００３９】
以上からなる開閉器操作リングカバー１を操作リング１０１に取付けると、操作具２００を引っ掛けることができる一方で、操作リング１０１が足場ボルト２６０に引っ掛かることを確実に防止することができる。また開閉器操作リングカバー１は、中央部が網体４１、４２であり、ここが風の通り道となるので風が吹いても揺動し難く現場で好適に使用することができる。
【００４０】
固定手段５１にスナップフィットのようなワンタッチ式の留め具５３を使用した開閉器操作リングカバー１の場合、操作綱１５１に取付けられた状態の操作リング１０１に対しても現場で、操作リング１０１を取外すことなく取付けることができる。また開閉器操作リングカバー１は、入用の操作リング１０１と切用の操作リング１０２とを区別することなく取付け使用することができるため使い勝手がよい。
【００４１】
図４は、本発明の第２実施形態の開閉器操作リングカバー２の斜視図である。図５は、の開閉器操作リングカバー２を操作リング１０１に取付けた状態の斜視図である。図１から図３に示す第１実施形態の開閉器操作リングカバー１と同一の構成には同一の符号を付して説明を省略する。
【００４２】
第２実施形態の開閉器操作リングカバー２は、第１実施形態の開閉器操作リングカバー１と基本的構成及び技術的思想を共通にし、開閉器操作リングカバー２を操作リング１０１に取付けたとき、操作リング１０１に操作具２００を引っ掛けることを可能とする一方で、足場ボルト２６０は挿通不能とし、足場ボルト２６０への引っ掛かりを防止する。
【００４３】
開閉器操作リングカバー２は、第１実施形態の開閉器操作リングカバー１と異なりカバー本体１２に一枚のパンチングメタルが使用されている。カバー本体１２の正面視における外形及び外形寸法は、カバー本体１１の正面視における外形及び外形寸法と同じである。このため第１実施形態の開閉器操作リングカバー１と同様に、開閉器操作リングカバー２が取付けられた操作リング１０１に対して、足場ボルト２６０は挿通不能であり、操作具２００の鉤部２０１は挿通可能である。
【００４４】
本実施形態においてカバー本体１２にパンチングメタルが使用されるのは、風の流通路を確保するためである。パンチングメタルの孔径は、足場ボルト２６０及び操作具２００の鉤部２０１が挿通不能な大きさである。パンチングメタルは、孔径が大きく、孔径の数が多い方が風が抜け易く好ましい。このためカバー本体１２に、カバー本体１１と同様に一枚の枠体２１とそれを塞ぐ網体４１を用いてもよい。
【００４５】
カバー本体１２の厚さは、操作リング１０１の厚さに比較して薄い。このため開閉器操作リングカバー２を操作リング１０１に取付けると、開閉器操作リングカバー１と異なり高さ方向に段差が生じる。この段差が大きくなると足場ボルト２６０が引っ掛かる恐れがあるので、操作リング１０１に取付けたとき、カバー本体１２が操作リング１０１の高さ方向の中心に位置するように固定手段６１が設けられている。
【００４６】
固定手段６１は、ヒンジ６６で連結された一対の半割れパイプ状部材６７、６８及び一対の半割れのパイプ状部材の端部同士を連結するための留め具６３で構成される。パイプ状部材６７は、一端がカバー本体１２の外周縁１３に固定されている。留め具６３は、材料の弾性を利用して受部６５に引っ掛ける公知のスナップフィット６３であり、スナップフィット６３は、半割れパイプ状部材６８の一端に設けられている。スナップフィット６３が嵌り込む受部６５は、半割れパイプ状部材６７の一端に設けられている。
【００４７】
固定手段６１は、操作リング１０１の突出部１０７の左右にそれぞれ１カ所、逆三角形状部１０５の左右にそれぞれ１カ所、合計４カ所を固定する（図５参照）。操作リング１０１は、突出部１０７と逆三角形状部１０５との間が段差となっているので、突出部１０７及び逆三角形状部１０５にそれぞれに取付くように固定手段６１を設けると、ずれ難く開閉器操作リングカバー２を確実に固定することができる。
【００４８】
固定手段６１には、スナップフィット６３以外のものを使用可能であること、スナップフィット６３は、ワンタッチで固定できるので既設の操作リング１０１に開閉器操作リングカバー２を取付ける手段として好ましいことは第１実施形態の固定手段５１と同じである。
【００４９】
半割れパイプ状部材６７、６８の幅、固定手段６１の個数は、特に限定されるものではないが、第１実施形態のベルト５２と同様に、操作リング１０１の色の視認に関係するので、開閉器操作リングカバー２を操作リング１０１にしっかりと固定できる範囲において幅が狭く、個数が少なく、材料は無色透明なものが好ましい。
【００５０】
以上からなる第２実施形態の開閉器操作リングカバー２は、第１実施形態の開閉器操作リングカバー１に比較して構造が単純であるから安価に製造することができる。
【００５１】
図６は、本発明の第３実施形態の開閉器操作リングカバー３を操作リング１０１に取付けた状態の正面図である。図４及び図５に示す第２実施形態の開閉器操作リングカバー２と同一の構成には同一の符号を付して説明を省略する。第３実施形態の開閉器操作リングカバー３は、第２実施形態の開閉器操作リングカバー２の変形例として位置付けられるものであり、基本構成は、開閉器操作リングカバー２と同じである。
【００５２】
第２実施形態の開閉器操作リングカバー２を装着した操作リング１０１に対して、操作具２００の鉤部２０１を引っ掛けることができる場所は、開閉器操作リングカバー２の下部にできる空間Ｖ４のみである。この点は、第１実施形態の開閉器操作リングカバー１を装着した操作リング１０１も同じである。
【００５３】
開閉器操作リングカバー２を装着した操作リング１０１は、足場ボルト２６０が挿通可能なスペースがない一方で、操作具２００の鉤部２０１を引っ掛けることができるスペースは広い方が、操作性に優れる。この点から本発明の第３実施形態の開閉器操作リングカバー３は、カバー本体１４に凹部１５が設けられている。
【００５４】
カバー本体１４の凹部１５は、カバー本体１４の下辺１６につながるように上向きに設けられている。凹部１５の幅Ｗ１は、足場ボルト２６０の頭２６１の大きさｈ１及び操作具２００の鉤部２０１の球部２０５の直径ｄ２に対して、ｈ１＞Ｗ１＞ｄ２である。このため凹部１５に操作具２００の鉤部２０１は挿通可能な一方で、足場ボルト２６０は挿通不能である。
【００５５】
カバー本体１４に凹部１５を設けることで、開閉器操作リングカバー３を装着した操作リング１０１に操作具２００を引っ掛け易くなる。さらに凹部１５を設けることで風の流通路が増え、開閉器操作リングカバー３を装着した操作リング１０１が風の影響を受け難くなる。第３実施形態の開閉器操作リングカバー３は、第２実施形態の開閉器操作リングカバー２に凹部１５を設けているが、第１実施形態の開閉器操作リングカバー１においても凹部１５を設けることができる。
【００５６】
以上、第１から第３実施形態の開閉器操作リングカバー１、２、３を用いて説明したように本発明に係る開閉器操作リングカバーは、電柱に設置される足場ボルトが挿通不能に、また操作具の鉤部が挿通可能に操作リングの内側の空間を塞ぐので、操作リングの機能を確保しつつ操作リングが足場ボルトに引っ掛かることを防止できる。また本発明に係る開閉器操作リングカバーは、既設の操作リングを改良することなく取付け可能であり、さらに既設の操作具もそのまま使用することができるのでコストの点においても好ましい。
【００５７】
また本発明に係る開閉器操作リングカバーは、カバー本体が風の流通路を備えるので、風が吹いても揺動し難く現場で好適に使用することができる。また本発明に係る開閉器操作リングカバーは、スナップフィットのようなワンタッチ式の固定手段を用いることができるので、操作綱に取付けられた操作リングに対しても現場で、操作リングを取外すことなく簡単に取付けることができる。
【００５８】
また本発明に係る開閉器操作リングカバーは、カバー本体が操作リングに装着されたとき操作リングのリング自体には被さらない大きさであり、また固定手段の構造・構成も操作リングに装着された状態で、操作リングのリング自体を外部から視認可能に構成される。このため開閉器操作リングカバーは、入用の操作リングと切用の操作リングとを区別することなく取付け使用することができ使い勝手がよい。また入用・切用の２種類の開閉器操作リングカバーを準備する必要がないのでコストの点においても好ましい。
【００５９】
本発明に係る開閉器操作リングカバーは、上記実施形態に限定されるものではなく、要旨を変更しない範囲で変更して使用することができる。上記実施形態では、開閉器操作リングカバーのカバー本体に枠体と網体との組合せ、あるいはパンチングメタルを使用するが、カバー本体にスリット孔が設けられた板材を用いてもよい。
【００６０】
図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００６１】
１、２、３  開閉器操作リングカバー
１１、１２、１４  カバー本体
２１、２２  枠体
３１  開口部
４１、４２  網体、金網
５１  固定手段
５２  ベルト
５３  留め具
６１  固定手段
６２  留め具
１０１、１０２  操作リング
１０５  逆三角形状部
１０７  突出部
１０８  突出部の上部
１５１、１５２  操作綱
２００  操作具
２０１  鉤部
２０５  球部
２５０  電柱
２６０  足場ボルト
２６１  足場ボルトの頭
３００  柱上開閉器
５０１  作業者
【図１】
2020140850.tif 000003
【図２】
2020140850.tif 000004
【図３】
2020140850.tif 000005
【図４】
2020140850.tif 000006
【図５】
2020140850.tif 000007
【図６】
2020140850.tif 000008
【図７】
2020140850.tif 000009
【図８】
2020140850.tif 000010